(57)【要約】【課題】鳥害防止具を安価に製作することができる方法を提供する。【解決手段】管状部本体とフランジ２ａ付きの筒状継手２を備えたプラスチック絶縁材からなる電線防護管の廃材から鳥害防止具Ｂを製作する方法であって、廃材となった前記電線防護管の筒状継手２に一体化された管状部本体を所定長さに切断した後、切分手段によって、前記管状部本体の切断端から管軸方向に切り分けることにより複数条の枝状片５を形成し、各枝状片５を外開き状とする。【選択図】  図１
2006211993.tif 000002
【特許請求の範囲】
【請求項１】
管状部本体（１）とフランジ（２ａ）付きの筒状継手（２）を備えたプラスチック絶縁材からなる電線防護管（３）の廃材から鳥害防止具（Ｂ）を製作する方法であって、
廃材となった前記電線防護管（３）の筒状継手（２）に一体化された管状部本体（１）を所定長さに切断した後、切分手段（４）によって、前記管状部本体（１）の切断端から管軸方向に切り分けることにより複数条の枝状片（５）を形成し、各枝状片（５）を外開き状とすることを特徴とする鳥害防止具の製作方法。
【請求項２】
前記各枝状片（５）を、加熱手段により加熱しつつ外開き状に変形させることを特徴とする請求項１に記載の鳥害防止具の製作方法。
【請求項３】
前記切分手段（４）は、加熱可能な刃部を備え、前記管状部本体（１）を加熱しつつ切り分けることを特徴とする請求項１又は２に記載の鳥害防止具の製作方法。
【請求項４】
前記請求項１乃至３の何れかに記載の鳥害防止具の製作方法によって製作された鳥害防止具（Ｂ）の筒状継手（２）のフランジ（２ａ）を設置箇所に対する着座部とし、前記フランジ（２ａ）に固縛用の紐状体（６）を挿通させるための孔（ｈ）を形成したことを特徴とする鳥害防止具。
【発明の詳細な説明】
【技術分野】
【０００１】
本発明は、電柱の腕金や送電用の鉄塔等に鳥が巣作りをしたり脱糞したりするのを防止するために設けられる鳥害防止具を安価に製作する方法及びその製作方法によって製作される鳥害防止具に関する。
【背景技術】
【０００２】
電柱の腕金や送電用の鉄塔等には、カラス等の鳥が巣作りをしたり脱糞したりして所謂鳥害が発生し大きな問題となっている。特に、都市部では、樹木が少なくなっているため、カラスが金属製のハンガー等を利用して巣作りをすることが多いが、そのために、金属材が電線に接触して、配電線工作物の損傷事故や停電事故等が発生することがある。また、糞が蓄積すると、悪臭や汚れによる被害だけでなく、寄生虫の発生や病原菌への感染等のおそれもあり、環境衛生が著しく損なわれてしまう。
【０００３】
従って、このような鳥害を防止するための手段が種々提案されている。電柱の腕金に取り付けられるものでは、例えば、槍状に先の尖った棒状体を多数起立状に配列したもの（例えば、特許文献１参照）、棒状体の間隔を調整できるように構成したもの（例えば、特許文献２参照）、棒状体を上開きの放射状に取り付けたもの等々がある。その他、風を受けて回転する回転体を取り付けた風車式や、腕金に沿わせて取り付けた回転体をモータが回転させるようにした電動式のものもある（例えば、特許文献３参照）。
【０００４】
【特許文献１】特開平１１−２８９６４４号公報
【特許文献２】特開２００１−２０４３６１号公報
【特許文献３】特開２００２−５１６８４号公報
【発明の開示】
【発明が解決しようとする課題】
【０００５】
しかし、上述のような従来の鳥害防止具は、比較的に構成が複雑で面倒な加工が必要とされ高価である。従って、営巣防止区域に指定されている場所に設けられている電柱の腕金や送電用の鉄塔等への鳥の飛来防止に万全を期するためには、大変な費用がかかる。そのため、鳥害防止具を安価に製作できる方法が求められている。また、その鳥害防止具は、高所作業車の使用ができない場所においても容易に取付られるように、例えば、間接活線操作棒等を用いて電柱の腕金や送電用の鉄塔等への取付が可能であることも望まれる。
【０００６】
本発明は、このような実情に鑑みてなされ、鳥害防止具を安価に製作することができる方法及びその製作方法によって製作される取付容易な鳥害防止具を提供することを目的としている。
【課題を解決するための手段】
【０００７】
（１）本発明の鳥害防止具の製作方法は、管状部本体１とフランジ２ａ付きの筒状継手２を備えたプラスチック絶縁材からなる電線防護管３の廃材から鳥害防止具Ｂを製作する方法であって、
廃材となった前記電線防護管３の筒状継手２に一体化された管状部本体１を所定長さに切断した後、切分手段４によって、前記管状部本体１の切断端から管軸方向に切り分けることにより複数条の枝状片５を形成し、各枝状片５を外開き状とすることを特徴とする。
【０００８】
このような方法によれば、例えば、管状部本体１を５０ｃｍ程度の長さに切断した後、その管状部本体１を管軸方向に切り分ける簡単な加工で、廃材となった電線防護管３を有効に利用して鳥害防止具Ｂを安価に製作することができる。各枝状片５は、手でも簡単に外開き状とすることができるが、ドライヤー等で加熱すれば、より一層容易に変形させることができる。
【０００９】
電線防護管３の素材としては、可撓性および弾発性を有する電気絶縁性材料であるポリエチレンが適材であるが、その他のプラスチック材であってもよい。また、設置に際しては、絶縁やっとこ等を用いて鳥害防止具Ｂの筒状継手２のフランジ２ａを電柱の腕金等に着座させた後、筒状継手２のフランジ２ａに予め固縛してある紐状体（例えば、アルミ線等）をバインド打器でからめとり、紐状体を腕金に巻き付けてバインド打器を回して固縛すれば、いわゆる間接活線作業での取付が可能となる。
【００１０】
鳥害防止具Ｂが腕金等に固定された状態では、外開き状となった各枝状片５によって鳥の飛来を効果的に防止することができる。また、各枝状片５が風になびくことによっても、高い鳥害防止効果が得られる。さらに、素材が絶縁体であるため送電線まわりへの取付に好適であるのは言うまでもない。なお、各枝状片５の長さは、例えば、電柱の腕金に取り付ける場合には、５０ｃｍ程度あればよいが、送電用の鉄塔に取り付ける場合には、もう少し長くてもよく、特に長さを特定するものではない。従って、管状部本体１を切断する長さ（所定長さ）は、設置場所を考慮して適切な長さが選択されてよい。
【００１１】
（２）前記各枝状片５を、加熱手段により加熱しつつ外開き状に変形させるようにしてもよい。このように、各枝状片５をドライヤー等の加熱手段で加熱しつつ手で曲げれば、変形作業が容易となる。
【００１２】
（３）前記切分手段４は、加熱可能な刃部を備え、前記管状部本体１を加熱しつつ切り分けるようにしてもよい。このように、管状部本体１を加熱すると軟化して切りやすくなるため、切り分け作業が容易となる。
【００１３】
（４）本発明の鳥害防止具は、請求項１乃至３の何れかに記載の鳥害防止具の製作方法によって製作された鳥害防止具Ｂの筒状継手２のフランジ２ａを設置箇所に対する着座部とし、前記フランジ２ａに固縛用の紐状体６を挿通させるための孔ｈを形成したことを特徴とする。
【００１４】
このような構成によれば、そのフランジ２ａに形成した孔ｈに、予め、紐状体（例えば、アルミ線等）６を挿通させておき、絶縁やっとこ等を用いて鳥害防止具Ｂを電柱の腕金等に着座させた後、バインド打器で紐状体６をからめとり、紐状体６を腕金に巻き付けてバインド打器を回して固縛すれば、いわゆる間接活線作業での取付が可能となる。なお、絶縁やっとこ及びバインド打器等は、間接活線操作棒（又は絶縁棒）とも称され、高所作業における間接活線作業に必要な工具である。
【発明の効果】
【００１５】
本発明の鳥害防止具の製作方法は、所定長さに切断した管状部本体を、切分手段によって、管軸方向に切り分けて複数条の枝状片にする簡単な加工で、廃材となった電線防護管を有効に利用して鳥害防止具を安価に製作することができる。
【００１６】
また、本発明の鳥害防止具は、筒状継手のフランジに、固縛用の紐状体（例えば、アルミ線等）を挿通させるための孔を形成するので、予め、紐状体を孔に挿通させておき、絶縁やっとこ等を用いて鳥害防止具を電柱の腕金等に着座させた後、バインド打器で紐状体をからめとり、紐状体を腕金に巻き付けてバインド打器を回すことで固縛すれば、いわゆる間接活線作業での取付が可能となる。活線操作棒等を用いて鳥害防止具を電柱の腕金等に着座させた後、紐状体を腕金に巻き付けて固縛すれば、いわゆる間接活線作業での取付が可能となる。従って、高所作業車の使用ができない場所での取付も可能となる。
【発明を実施するための最良の形態】
【００１７】
以下に、本発明の最良の実施の形態に係る鳥害防止具の製作方法について図面を参照しつつ詳細に説明する。
図１は鳥害防止具の斜視図、図２は電柱の腕金等に取り付けた状態の斜視図、図３は電線防護管の斜視図、図４は切分手段の斜視図である。この鳥害防止具の製作方法は、まず、廃材となった電線防護管３の筒状継手２に一体化された管状部本体１を所定長さ、例えば、その管状部本体１を鋸等で筒状継手２から５０ｃｍ程度の長さに切断する。次いで、竹割り工具に似た切分手段４によって、管状部本体１の切断端（筒状継手２から離れた方）から管軸方向に切り分け、複数条の枝状片５を形成する。そして、例えば、ドライヤー等の加熱手段を補助として各枝状片５を外開き状に変形させ、さらに、筒状継手２のフランジ２ａに固縛用の紐状体６を挿通させるための孔ｈを形成すれば、図１に示すような鳥害防止具Ｂを得ることができる。このような方法によれば、例えば、廃材を利用して安価に鳥害防止具Ｂを安価に製作することができる。
【００１８】
電線防護管３の素材としては、可撓性および弾発性を有する電気絶縁性材料であるポリエチレンが適材であるが、その他のプラスチック材であってもよい。この電線防護管３は、図３に示すように、管状部本体１が筒状継手２に一体化されてなり、管状部本体１は、例えば、内層には、電気絶縁性及び耐摩耗性を具備したポリエチレン材を用い、外層には、再生ポリエチレンを用いた二色押出成形により中空状に形成されるが、その他の製法が採用されてもよい。また、厚みについては、例えば、内層の厚みは１．０〜２．０ｍｍ、外層の厚みは１．０〜１．７ｍｍとし、合計厚みを２．０〜２．７ｍｍに設定されるが、これに限定されることなく、適宜な厚みが採用されてもよい。
【００１９】
管状部本体１の端部には、弾性材からなる連結用の突出部１ａが設けられ、その突出部１ａが、連結対象となる電線防護管３の筒状継手２のフランジ２ａから押し込まれて、筒状継手２の内部に形成されている嵌合溝（図示省略）に嵌入され、電線防護管３，３同士を連結できるように構成されている。この製作方法では、管状部本体１は、筒状継手２の端から５０ｃｍ程度の長さのみを使用し、それより先の部分は使用せず廃棄する。このような電線防護管３は、電線を保護するために製作されたものであり、耐候性が良好であり、廃材となっても鳥害防止具Ｂの素材として適している。また、金属材を使用しておらず軽量であるため、その設置時には取り扱いやすいという利点もある。
【００２０】
このような管状部本体１を管軸方向に切り分けるには、例えば、図４に示す竹割り工具に似た切分手段４を用いればよい。この切分手段４は、管状部本体１の中空部に嵌入させる軸部材４ａの周囲に放射状にカッター４ｂを有し、そのカッター４ｂの外側にリング体４ｃを取り付けており、その軸部材４ａを管状部本体１の中空部に嵌入させてリング体４ｃを管軸方向に押し込むことで、筒状部本体１を６つの枝状片５に切り分けることができる。なお、ポリエチレン材は加熱すると軟化するため、図示は省略するが、各カッター（本発明の刃部）４ｂを加熱するためのヒーターを設け、筒状部本体１を加熱しつつ切り分ければ、切分作業が容易となる。このような切分手段４は、図４に示すものに限定されることなく、例えば、鋏や単なるカッター等であってもよい。
【００２１】
鳥害防止具Ｂの設置に際しては、例えば、図５（ａ）に示す絶縁やっとこ７や（ｂ）に示すバインド打器８等の間接活線操作棒を用いて容易に行うことができる。絶縁やっとこ７は、全長１ｍ２００（１．２ｍ）程度の絶縁棒７ａの先端に取り付けた先端金具７ｂを絶縁棒７ａの基部側に設けたレバー７ｃで開閉操作できるように構成される。バインド打器８は、全長１ｍ２００（１．２ｍ）程度の絶縁性の共用操作棒８ａの先端に、鉤状部材８ｂを着脱自在に取り付けてなり、紐状体６をからめとることができる。まず、絶縁やっとこ７により鳥害防止具Ｂの筒状継手２を掴んで、そのフランジ２ａを、電柱９の腕金１０等に着座させた後、そのフランジ２ａの孔ｈに挿通させてある紐状体６をバインド打器８でからめとり、その紐状体６を腕金１０に巻き付けて固縛すれば、鳥害防止具Ｂを固定することができる。従って、高所作業車が使用できない場所でも鳥害防止具Ｂを容易に取り付けることができる。
【００２２】
鳥害防止具Ｂが腕金１０等に固定された状態では、外開き状となった各枝状片５によって鳥の飛来を効果的に防止することができる。また、各枝状片５が風になびくことによっても、高い鳥害防止効果が得られる。さらに、素材が絶縁体であるため送電線まわりへの取付に好適であるのは言うまでもない。なお、各枝状片５の長さは、例えば、電柱９の腕金１０に取り付ける場合には、５０ｃｍ程度あればよいが、送電用の鉄塔に取り付ける場合には、もう少し長くてもよく、特に長さを特定するものではない。従って、管状部本体１を切断する長さ（所定長さ）は、設置場所を考慮して適切な長さが選択されてよい。
【００２３】
なお、本発明は、実施の形態に限定されることなく、発明の要旨を逸脱しない限りにおいて、適宜、必要に応じて、設計変更や改良等を行うのは自由であり、例えば、筒状継手２のフランジ２ａに孔ｈをあける代わりに、紐状体６を筒状継手２の巻回させておいてもよい。
【図面の簡単な説明】
【００２４】
【図１】本発明の実施の形態に係る鳥害防止具の斜視図である。
【図２】同鳥害防止具を電柱の腕金に取り付けた状態の斜視図である。
【図３】同電線防護管の斜視図である。
【図４】同切分手段の斜視図である。
【図５】同（ａ）絶縁やっとこの全体図、（ｂ）バインド打器の全体図である。
【符号の説明】
【００２５】
１…管状部本体、２…筒状継手、２ａ…フランジ、３…電線防護管、４…切分手段、５…枝状片、６…紐状体
【図１】
2006211993.tif 000003
【図２】
2006211993.tif 000004
【図３】
2006211993.tif 000005
【図４】
2006211993.tif 000006
【図５】
2006211993.tif 000007